(57)【要約】【課題】表示幕の順方向巻き取り時と逆方向巻き取り時との間で、一時停止時の位置ずれの発生を抑制することができる幕式表示装置を提供する。【解決手段】幕式表示装置の表示幕５は、巻き取り時の一時停止制御用のマークとして、順方向巻き取り一時停止マークＭa1及び逆方向巻き取り一時停止マークＭa2とが各々個別に設けられている。順方向巻き取り時には、順方向巻き取り一時停止マークＭa1の左端Ｍa1−Ｌが検出されると、表示幕５が一時停止する。一方、逆方向巻き取り時には、逆方向巻き取り一時停止マークＭa2の右端Ｍa2−Ｒが検出されると、表示幕５が一時停止する。このため、順方向巻き取り及び逆方向巻き取りのいずれにおいても、マークＭa1，Ｍa2間の停止範囲Ｗｄがセンサ２２に対応する位置で表示幕５が一時停止する。【選択図】図３
2013200437.tif 000002
【特許請求の範囲】
【請求項１】
複数の表示物が設けられた帯状の表示幕にマークを付し、当該マークを検出する検出部を設け、当該検出部の検出信号を基に制御部が前記表示幕の位置を認識し、一時停止マークを検出すると巻き取りを一時停止し、折り返しマークを検出すると巻き取り方向を逆方向に折り返すことにより、前記表示物を順に表示していく幕式表示装置において、
前記一時停止マークは、順方向巻き取り時に使用される順方向巻き取り一時停止マークと、逆方向巻き取り時に使用される逆方向巻き取り一時停止マークとからなる
ことを特徴とする幕式表示装置。
【請求項２】
前記順方向巻き取り一時停止マーク及び前記逆方向巻き取り一時停止マークは、前記表示物の繋ぎ目を中心として、前記表示幕の長さ方向において対称位置に配置されている
ことを特徴とする請求項１に記載の幕式表示装置。
【請求項３】
マーク検出に基づいて行われる巻き取りにおいて、巻き取り開始から所定時間にわたってマーク検出を停止する
ことを特徴とする請求項１又は２に記載の幕式表示装置。
【発明の詳細な説明】
【技術分野】
【０００１】
本発明は、帯状の幕を順方向又は逆方向に巻き取りながら、幕に複数設けられた表示物のうちで所定のものを切り換え表示する幕式表示装置に関する。
【背景技術】
【０００２】
従来、複数の広告が印刷された表示幕を、例えばモータ等で順方向又は逆方向に巻き取って一時停止を繰り返すことにより、所定の１広告を順に表示していく幕式表示装置が考案されている（特許文献１）。図７に、特許文献１で開示された表示幕８１を図示する。表示幕８１は、複数（図７は９枚）の単位表示幕８２を順に繋げるように貼り付けることにより帯状に形成されている。
【０００３】
表示幕８１は、表示幕８１の位置検出用に３種類のマークＭａ〜Ｍｃが形成されている。これらマークＭａ〜Ｍｃは、一時停止マークＭａ、折り返しマークＭｂ、幕終了マークＭｃからなる。一時停止マークＭａは、第２単位表示幕８２ｂ〜第８単位表示幕８２ｈの各々の繋ぎ目部８３に計６箇所形成される。折り返しマークＭｂは、第２単位表示幕８２ｂにおいて第１単位表示幕８２ａ側の端部と、第８単位表示幕８２ｈにおいて第９単位表示幕８２ｉ側の端部とに形成される。幕終了マークＭｃは、第１単位表示幕８２ａ及び第９単位表示幕８２ｉに形成される。
【０００４】
幕式表示装置は、表示幕８１の巻き取り時、センサによってマークＭａ〜Ｍｃを検出し、マークＭａ〜Ｍｃの通り過ぎる時間を計測し、その時間の長さによってマークＭａ〜Ｍｃの種別を判定する。幕式表示装置は、表示幕８１の巻き取り時、一時停止マークＭａを検出すると、巻き取りを一時停止して、一定時間が経過すると、巻き取りを再開する。この動作を繰り返すことにより、所定の単位表示幕８２を表示する。また、幕式表示装置は、表示幕８１の巻き取り時、折り返しマークＭｂを検出すると、一時停止後、表示幕８１を逆方向に巻き取る。
【０００５】
ところで、センサが折り返しマークＭｂを検出している最中に幕式表示装置の電源がオフにされることがある。電源が再投入されると表示幕８１の巻き取りが再開されるが、途中からの読み取りとなるのでセンサで折り返しマークＭｂは正しく検出されない。しかし、表示幕８１の端にある幕終了マークＭｃを検出すると、表示幕８１の逆方向への巻き取りが実行されるので、巻き取りが片方で止まってしまうことはない。
【先行技術文献】
【特許文献】
【０００６】
【特許文献１】特開２０１０−１４５６４２号公報
【発明の概要】
【発明が解決しようとする課題】
【０００７】
ただし、一時停止マークＭａ周辺を拡大した図８に示すように、順方向の巻き取り時においては、一時停止マークＭａの左端Ｍａ−Ｌを検出し終えて表示幕８１が止まるので、表示幕８１は領域Ｘａ内にセンサが対応する位置で停止する。これに対し、逆方向の巻き取り時においては、一時停止マークＭａの右端Ｍａ−Ｒの検出をし終えてから表示幕８１が止まるので、表示幕８１は領域Ｘｂにセンサが対応する位置で停止する。このように、従来の幕式表示装置では、表示幕８１を一時停止する際、巻き取りの方向に応じて表示幕８１の停止位置が変わるために表示物の位置がずれる問題があった。
【０００８】
本発明の目的は、表示幕の順方向巻き取り時及び逆方向巻き取り時の間で、一時停止時の位置ずれを抑制することができる幕式表示装置を提供することにある。
【課題を解決するための手段】
【０００９】
前記問題点を解決するために、本発明では、複数の表示物が設けられた帯状の表示幕にマークを付し、当該マークを検出する検出部を設け、当該検出部の検出信号を基に制御部が前記表示幕の位置を認識し、一時停止マークを検出すると巻き取りを一時停止し、折り返しマークを検出すると巻き取り方向を逆方向に折り返すことにより、前記表示物を順に表示していく幕式表示装置において、前記一時停止マークは、順方向巻き取り時に使用される順方向巻き取り一時停止マークと、逆方向巻き取り時に使用される逆方向巻き取り一時停止マークとからなることを要旨とする。
【００１０】
本発明の構成によれば、一時停止マークを順方向及び逆方向のそれぞれに別途設けたので、順方向巻き取り時及び逆方向巻き取り時の両方とも、予め決められた位置に表示幕を停止させることが可能となる。よって、表示幕の順方向巻き取り時及び逆方向巻き取り時の間で、一時停止時の位置ずれを抑制することが可能となる。
【発明の効果】
【００１１】
本発明によれば、表示幕の順方向巻き取り時及び逆方向巻き取り時の間で、一時停止時の位置ずれを抑制することができる。
【図面の簡単な説明】
【００１２】
【図１】一実施形態の幕式表示装置の斜視図。
【図２】幕式表示装置の内部構造を示す断面図。
【図３】表示幕の正面図。
【図４】幕式表示装置の電気構成図。
【図５】表示幕の巻き取りで実行されるフローチャート。
【図６】図５の続きのフローチャート。
【図７】従来の表示幕の正面図。
【図８】一時停止時に表示幕がとる動作を示す説明図。
【発明を実施するための形態】
【００１３】
以下、本発明を具体化した幕式表示装置の一実施形態を図１〜図６に従って説明する。
図１に示すように、幕式表示装置１の装置本体２には、正面及び背面の両方に開口枠３が設けられ、これら開口枠３に透明板４が各々取り付けられている。図１及び図２に示すように、装置本体２の内部には、複数の表示物（広告）６が載せられた表示幕５が、４本の軸７〜１０に張設されて収納されている。幕式表示装置１は、表示幕５の表示物６を、表裏のそれぞれの透明板４から１つずつ外に表示することが可能な両面式の広告装置である。軸７〜１０は、表示幕５の各端部が巻き付けられた一対の回動軸７，８と、表示幕５の巻き取りを案内する一対の案内軸９，１０とからなる。幕式表示装置１は、表示幕５を装置幅方向（図のＹ軸方向）に巻き取る横方向巻き取り式である。装置本体２の内部には、表示幕５を背面から照明する一対の照明部１１が設けられている。
【００１４】
図３に示すように、表示幕５は、それぞれ個別の表示物６が印刷された複数（本例は９枚）の単位表示幕１２を順に繋げるように貼り付けることにより帯状に形成されている。各表示物６は、透明板４の略全域に広告が表示されるように、透明板４と同程度のサイズに印刷されている。単位表示幕１２は、例えば樹脂製シートや布などのシート材からなる。
【００１５】
表示幕５は、表示幕５の位置検出用に４種類の長方形のマークＭa1，Ｍa2，Ｍｂ，Ｍｃが形成されている。マークＭa1，Ｍa2，Ｍｂ，Ｍｃは、一対の同じ一時停止マークＭa1，Ｍa2、折り返しマークＭｂ、幕終了マークＭｃからなる。マークＭa1，Ｍa2，Ｍｂ，Ｍｃは、表示幕５のシート材に所定の形状に黒色でベタ印刷することにより形成される。
【００１６】
一時停止マークＭa1，Ｍa2は、表示幕５の順方向巻き取り時に検出される順方向巻き取り一時停止マークＭa1と、表示幕５の逆方向巻き取り時に検出される逆方向巻き取り一時停止マークＭa2とからなる。一時停止マークＭa1，Ｍa2は、表示幕５の巻き取りを一時停止（一旦停止）させる位置を決めるためのマークである。順方向巻き取り一時停止マークＭa1は、第３単位表示幕１２ｃ〜第８単位表示幕１２ｈの紙面左端寄りに配設されている。逆方向巻き取り一時停止マークＭa2は、第２単位表示幕１２ｂ〜第７単位表示幕１２ｇの紙面右端寄りに配設されている。マークＭa1，Ｍa2は、幕の進行方向の長さ（マーク長）が25mmに設定されている。マークＭa1，Ｍa2は、単位表示幕１２の繋ぎ目１３を中心に、表示幕５の長さ方向（図３のＹ軸方向）において対称配置されている。
【００１７】
折り返しマークＭｂは、第２単位表示幕１２ｂの紙面左端と、第８単位表示幕１２ｈの紙面右端とに配設されている。折り返しマークＭｂは、表示幕５の巻き取りを一時停止させるとともに、一時停止後、表示幕５の巻き取り方向を逆転して折り返させる位置を示すためのマークである。折り返しマークＭｂは、マーク長が150mmに設定されている。
【００１８】
幕終了マークＭｃは、第１単位表示幕１２ａ及び第９単位表示幕１２ｉに各々配設されている。幕終了マークＭｃは、折り返しマークＭｂが検出されなかった場合に、幕終了を示すためのマークであり、幕終了マークＭｃが検出された際には表示幕５の巻き取り方向を逆転して直ちに折り返させる。幕終了マークＭｃは、マーク長が75mmに設定されている。
【００１９】
図４に示すように、幕式表示装置１には、幕式表示装置１の動作を制御するコントローラ１４が設けられている。コントローラ１４には、ＣＰＵ（Central Processing Unit）１５及び記憶装置１６が設けられ、電源１７に接続されている。ＣＰＵ１５は、モータ駆動回路１８を介して第１モータ１９及び第２モータ２０に接続されている。第１モータ１９は、表示幕５の順方向巻き取り時の駆動源である。第２モータ２０は、表示幕５の逆方向巻き取り時の駆動源である。なお、コントローラ１４が本発明の制御部に相当する。
【００２０】
ＣＰＵ１５は、センサ検出回路２１を介してマーク検出センサ２２に接続されている。マーク検出センサ２２は、例えば光学センサからなり、表示幕５に印刷された各マークＭa1，Ｍa2，Ｍｂ，Ｍｃを検出する。ＣＰＵ１５は、マーク検出センサ２２から入力する検出信号を基に、表示幕５の巻き取り位置を認識する。なお、マーク検出センサ２２が本発明の検出部に相当する。
【００２１】
次に、本例の幕式表示装置１の動作を、図３，図５及び図６を用いて説明する。
【００２２】
［順方向巻き取り時の一時停止マークＭa1の検出動作］
図５に示すように、電源１７が投入されると、ステップ１０１において、ＣＰＵ１５は、まず第１モータ１９を駆動し、表示幕５の順方向の巻き取りを開始する。
【００２３】
ステップ１０２において、ＣＰＵ１５は、マーク検出センサ２２の検出結果に基づき、マーク検出したか否かを判断する。このとき、マーク検出したと判断すれば、ステップ１０３に移行し、マーク検出したと判断しなければ、ステップ１０１に戻り、第１モータ１９の駆動を継続する。ここでは、順方向巻き取り一時停止マークＭa1を検出するので、ステップ１０３に移行する。
【００２４】
ステップ１０３において、ＣＰＵ１５は、マスク時間が経過したか否かを判断する。マスク時間とは、マーク検出を無効とする時間帯である。つまり、センサ２２によるマーク検出があったとしても、マーク検出後の巻き取り時において所定のマスク時間内であれば、ＣＰＵ１５は、マーク検出したと判断しない。従って、マスク時間が経過していれば、ステップ１０４に移行し、マスク時間が経過していなければ、ステップ１０１に戻る。なお、最初はマスク時間が設定されないので、マスク時間が経過することとなり、ステップ１０４に移行する。
【００２５】
ステップ１０４において、ＣＰＵ１５は、幕終了フラグが「１」か否かを判断する。このとき、幕終了フラグが「１」に設定されていれば、ステップ１０５に移行し、幕終了フラグが「１」に設定されていなければ、ステップ１０６に移行する。
【００２６】
ステップ１０５において、ＣＰＵ１５は、幕終了フラグを「０」にする。
ステップ１０６において、折り返しフラグが「１」か否かを判断する。このとき、折り返しフラグが「１」に設定されていれば、ステップ１０７に移行し、折り返しフラグが「１」に設定されていなければ、ステップ１０８に移行する。
【００２７】
ステップ１０７において、ＣＰＵ１５は、折り返しフラグを「０」にする。
ステップ１０８において、ＣＰＵ１５は、マーク検出センサ２２の検出結果に基づき、一時停止マークＭa1（Ｍa2）を検出したか否かを判断する。即ち、マーク長が「25mm」のマークを検出したか否かを判断する。このとき、一時停止マークＭa1（Ｍa2）を検出すれば、ステップ１０９に移行し、他マークであれば、ステップ１１２に移行する。ここではまず、順方向巻き取り一時停止マークＭa1を検出し、ステップ１０９に移行する場合を説明する。
【００２８】
ステップ１０９において、ＣＰＵ１５は、第１モータ１９を一旦停止させる。このとき、図３に示す順方向巻き取り一時停止マークＭa1の左端Ｍa1−Ｌが検出された後に、表示幕５の順方向巻き取りが一時停止する。よって、表示幕５は、一対の一時停止マークＭa1，Ｍa2の間の停止範囲Ｗｄ内で停止する。この停止範囲Ｗｄは、モータ停止に要する時から決まり、約２５mmに設定されている。よって、表示幕５が決められた位置で止められ、複数の単位表示幕１２の特定の１つが透明板４から外に広告される。
【００２９】
ステップ１１０において、ＣＰＵ１５は、第１モータ１９の一時停止時間が規定時間を経過したか否かを判断する。
【００３０】
ステップ１１１において、ＣＰＵ１５は、マスク時間をクリアする。ここでは、例えばタイマをセットするなどして、ＣＰＵ１５によるマーク検出を無効とする時間帯を設ける。
【００３１】
そして、ＣＰＵ１５は、ステップ１０１の動作に戻り、第１モータ１９を再駆動する。第１モータ１９の再駆動時、すぐに逆方向巻き取り一時停止マークＭa2を検出するが、マスク時間が未経過であるので、ステップ１０３でＮＯ判定となってステップ１０１に戻り、第１モータ１９の駆動が継続される。すなわち、逆方向巻き取り一時停止マークＭa2が検出されても無効とされるため、逆方向巻き取りが行われず、順方向巻き取りが継続される。
【００３２】
［順方向巻き取り時の折り返しマークＭｂの検出動作］
ステップ１１２において、ＣＰＵ１５は、マーク検出センサ２２の検出結果に基づき、折り返しマークＭｂを検出したか否かを判断する。このとき、折り返しマークＭｂを検出したと判断すれば、ステップ１１３に移行し、他マークを検出したと判断したのであれば、ステップ１３３に移行する。以下、第２単位表示幕１２ｂの折り返しマークＭｂを検出した場合を例に取り、ステップ１１３に移行する場合について説明する。
【００３３】
ステップ１１３において、ＣＰＵ１５は、第１モータ１９を一旦停止させる。このとき、折り返しマークＭｂの端が検出された後に、表示幕５の順方向巻き取りが一時停止する。よって、表示幕５は、図３に示す範囲Ｗｂ内で停止し、特定の単位表示幕１２を透明板４を通して視認可能に表示する。なお、範囲Ｗｂは、モータ停止に要する時間から決まり、マークＭｂ，Ｍｃ間においてＭｂのマーク端からＭｃ側に所定量離れた長さに相当する。
【００３４】
ステップ１１４において、ＣＰＵ１５は、第１モータ１９の一時停止時間が規定時間を経過したか否かを判断する。
【００３５】
ステップ１１５において、ＣＰＵ１５は、マスク時間をクリアする。
【００３６】
ステップ１１６において、ＣＰＵ１５は、折り返しフラグを「１」に設定する。
【００３７】
図６に示すステップ１１７において、ＣＰＵ１５は、第１モータ１９に代えて、第２モータ２０を駆動する。これにより、表示幕５の巻き取りが逆方向に切り換わる。
【００３８】
ステップ１１８において、ＣＰＵ１５は、マーク検出したか否かを判断する。このとき、マーク検出すれば、ステップ１１９に移行し、マーク検出していなければ、ステップ１１８に戻り、第２モータ２０の駆動を継続する。ここでは、逆方向巻き取りに切り換わった際、すぐに折り返しマークＭｂを検出するので、ステップ１１９に移行する。
【００３９】
ステップ１１９において、ＣＰＵ１５は、ステップ１０３の場合と同様に、マスク時間が経過したか否かを判断する。このとき、逆方向巻き取り後、すぐであれば、マスク時間は経過しないので、ステップ１１７に戻り、第２モータ２０の駆動を継続する。すなわち、逆方向巻き取り開始直後に折り返しマークＭｂが検出されても無効とされるため、順方向巻き取りは行われず、逆方向巻き取りが継続される。
【００４０】
［逆方向巻き取り時の一時停止マークＭa2の検出動作］
逆方向巻き取り時、逆方向巻き取り一時停止マークＭa2がマーク検出センサ２２で検出されることに基づき、ＣＰＵ１５は、ステップ１１８でＹＥＳ判定する。このとき、マスク時間は既に経過していることとなるので、ＣＰＵ１５はステップ１１９でＹＥＳ判定し、ステップ１２０に移行する。
【００４１】
ステップ１２０において、ＣＰＵ１５は、幕終了フラグが「１」か否かを判断する。このとき、幕終了フラグが「１」に設定されていれば、ステップ１２１に移行し、幕終了フラグが「１」に設定されていなければ、ステップ１２２に移行する。
【００４２】
ステップ１２１において、ＣＰＵ１５は、幕終了フラグを「０」にする。
ステップ１２２において、ＣＰＵ１５は、折り返しフラグが「１」か否かを判断する。このとき、折り返しフラグが「１」に設定されていれば、ステップ１２３に移行し、折り返しフラグが「１」に設定されていなければ、ステップ１２４に移行する。
【００４３】
ステップ１２３において、ＣＰＵ１５は、折り返しフラグを「０」にする。
ステップ１２４において、ＣＰＵ１５は、一時停止マークＭa1（Ｍa2）を検出したか否かを判断する。即ち、マーク長が「25mm」のマークを検出したか否かを判断する。このとき、一時停止マークＭa1（Ｍa2）を検出すれば、ステップ１２５に移行し、他マークであれば、ステップ１２８に移行する。ここでは、逆方向巻き取り一時停止マークＭa2を検出し、ステップ１２５に移行する場合について説明する。
【００４４】
ステップ１２５において、ＣＰＵ１５は、第２モータ２０を一旦停止させる。このとき、図３の逆方向巻き取り一時停止マークＭa2の右端Ｍa2−Ｒが検出された後に、表示幕５の逆方向巻き取りが一時停止する。よって、逆方向巻き取り時も、表示幕５が図３に示す停止範囲Ｗｄ内で停止する。
【００４５】
ステップ１２６において、ＣＰＵ１５は、第２モータ２０の一時停止時間が規定時間を経過したか否かを判断する。
【００４６】
ステップ１２７において、ＣＰＵ１５は、マスク時間をクリアする。そして、ステップ１１７に戻り、第２モータ２０を再駆動する。第２モータ２０の再駆動時、直ぐに順方向巻き取り一時停止マークＭa1を検出するが、マスク時間が未経過であるので、ステップ１１９でＮＯ判定されてステップ１１７に戻り、第２モータ２０の駆動が継続される。すなわち、順方向巻き取り一時停止マークＭa1が検出されても無効とされるため、順方向巻き取りは行われず、逆方向巻き取りが継続される。
【００４７】
逆方向巻き取り時、第８単位表示幕１２ｈの折り返しマークＭｂを検出すると、ステップ１２８〜１３２に沿って表示幕５の順方向への折り返しを実行する。なお、この折り返しは、順方向→逆方向への切り換わりのときと同様であるので、説明を省略する。
【００４８】
［範囲Ｗb1から起動する際の幕終了マークＭｃの検出動作］
図３に示すように、通常の巻き取り動作を行うときは、表示幕５は、一対の折り返しマークＭｂの間の範囲Ｗａ1の部分を表示するようにして、一時停止マークＭa1，Ｍa2の検出に基づいて一時停止しながら往復動作する。また、折り返しマークＭｂの検出により表示幕５が一時停止するとき、表示幕５は、センサ２２が範囲Ｗｂ内に対応する位置で停止する。よって、表示幕５は、巻き取り動作時においては、同図に示す範囲Ｗa2内のどこかを表示する状態で止まる。
【００４９】
ところで、巻き取り位置（マーク検出センサ２２）が範囲Ｗb1にあるとき、幕式表示装置１の電源がオフされることがある。なお、範囲Ｗb1は、第２単位表示幕１２ｂの折り返しマークＭｂと範囲Ｗｂとを合わせた長さに相当する。このとき、電源１７が再投入されると、まず第１モータ１９の駆動により、表示幕５が順方向に巻き取られ、直ぐに第１単位表示幕１２ａの幕終了マークＭｃが検出される。よって、ＣＰＵ１５は、ステップ１１２の判定でステップ１３３に移行する。
【００５０】
ステップ１３３において、ＣＰＵ１５は、幕終了マークＭｃを検出したか否かを判断する。このとき、幕終了マークＭｃが検出されれば、ステップ１３４に移行し、他マークが検出されれば、ステップ１０１に移行する。ここでは、第１単位表示幕１２ａの幕終了マークＭｃが検出されるので、ステップ１３４に移行する。
【００５１】
ステップ１３４において、ＣＰＵ１５は、幕終了フラグを「１」に設定する。
【００５２】
ステップ１３５において、ＣＰＵ１５は、マスク時間をクリアする。
【００５３】
ステップ１３６において、ＣＰＵ１５は、折り返しフラグを「１」に設定する。
【００５４】
ＣＰＵ１５は、続くステップ１１７において第２モータ２０を駆動し、逆方向巻き取りを開始する。このとき、逆方向巻き取り開始直後、すぐに第１単位表示幕１２ａの幕終了マークＭｃが検出される（ステップ１１８でＹＥＳ）ことになるが、マスク時間が経過していない（ステップ１１９でＮＯ）ので、ステップ１１７に戻り、第２モータ２０の駆動を継続する。すなわち、逆方向巻き取り開始直後に幕終了マークＭｃおよび折り返しマークＭｂが検出されても無効とされるため、順方向巻き取りは行われず、逆方向巻き取りが継続される。
【００５５】
［範囲Ｗb2から起動する際の幕終了マークＭｃの検出動作］
ところで、表示幕５の巻き取り位置（マーク検出センサ２２）が範囲Ｗb2に位置するとき、幕式表示装置１の電源がオフされることがある。なお、範囲Ｗb2は、第８単位表示幕１２ｈの折り返しマークＭｂと範囲Ｗｂとを合わせた長さに相当する。そして、電源が再投入されると、まず第１モータ１９の駆動により、表示幕５が順方向に巻き取られる。このとき、直ぐに第８単位表示幕１２ｈの折り返しマークＭｂが検出され、表示幕５が一旦停止され、一定時間経過後、第２モータ２０による逆方向巻き取りが開始される（ステップ１１２〜１２４）。そして、暫くすると、ＣＰＵ１５は、第９単位表示幕１２ｉの幕終了マークＭｃの検出に基づき、ステップ１２８で折り返しマークＭｂ以外を検出したと判定し、ステップ１３７に移行する。
【００５６】
ステップ１３７において、ＣＰＵ１５は、幕終了マークＭｃが検出されたか否かを判断する。このとき、幕終了マークＭｃが検出されれば、ステップ１３８に移行し、他マークが検出されたのであれば、ステップ１１７に移行する。ここでは、第９単位表示幕１２ｉの幕終了マークＭｃが検出されるので、ステップ１３８に移行する。
【００５７】
ステップ１３８において、ＣＰＵ１５は、幕終了マークＭｃを「１」に設定する。
【００５８】
ステップ１３９において、ＣＰＵ１５は、マスク時間をクリアする。
【００５９】
ステップ１４０において、ＣＰＵ１５は、折り返しフラグを「１」に設定する。
【００６０】
ＣＰＵ１５は、続くステップ１０１において第１モータ１９を駆動し、順方向巻き取りを開始する。このとき、順方向巻き取り開始直後、ＣＰＵ１５は直ぐに第９単位表示幕１２ｉの幕終了マークＭｃを検出する（ステップ１０２でＹＥＳ）ことになるが、マスク時間が経過していない（ステップ１０３の判定でＮＯ）ので、ステップ１０１に戻り、第１モータ１９の駆動を継続する。すなわち、順方向巻き取り開始直後に幕終了マークＭｃおよび折り返しマークＭｂが検出されても無効とされるため、逆方向巻き取りは行われず、順方向巻き取りが継続される。
【００６１】
本実施形態の構成によれば、以下に記載の効果を得ることができる。
（１）順方向及び逆方向のそれぞれに対応した専用の一時停止マークＭa1，Ｍa2を設けたので、順方向巻き取り時及び逆方向巻き取り時のいずれにおいても、停止範囲Ｗｄ内の部分がセンサ２２に対応する位置で表示幕５を一時停止させることができる。よって、表示幕の順方向巻き取りと逆方向巻き取りとの間で、一時停止時の表示幕の位置ずれの発生を抑制することができる。
【００６２】
（２）一時停止マークＭa1，Ｍa2は、表示幕５の長さ方向において繋ぎ目１３を中心に対称配置されているので、順方向巻き取り及び逆方向巻き取りのいずれにおいても、表示幕５を繋ぎ目１３付近で一時停止させることができる。よって、一時停止位置の精度を高めることができる。
【００６３】
（３）電源投入時には常に順方向での巻き取りを行うようにしたので、巻き取りの制御が簡素化される。このとき、本例の巻き取りの制御シーケンス（図５及び図６のフローチャート）を用いることにより、表示幕５の巻き取り位置を問わず、表示幕５の往復動作を問題なく実施することができる。
【００６４】
（４）単位表示幕１２の端から端に至るまで表示物６が印刷されていると、一時停止時に位置ずれが生じた際に表示物６の一部が隠れてしまうなど視覚的に著しく見苦しくなる恐れがある。このため、位置ずれが生じやすい場合には表示物６の印刷範囲が限られてしまう。しかし、本例によれば、順方向及び逆方向のいずれにおいても一時停止の位置精度が高いので、単位表示幕１２の全域に表示物６が印刷されていても、表示物６の表示が見苦しくならないようにすることができる。特に、小型の幕式表示装置において、表示物６の端まで利用できるため、表示の見易さを高めることができる。
【００６５】
（５）電源再投入時に、マーク検出センサ２２がマーク上に対応する位置から起動することも想定されるが、このとき、一時停止マークＭa1およびＭa2を検出したと判断されると、通常通り表示幕５を一時停止させる。また、検出したマーク長が短いと判断された場合には、一時停止せずに巻き取り動作を継続するので、表示幕５の巻き取りを滞りなく行うことができる。
【００６６】
なお、実施形態はこれまでの構成に限らず、以下のように変更してもよい。
・一時停止マークＭa1，Ｍa2は、繋ぎ目１３を挟んで対称配置される態様に限らず、非対称に配置されるものとしてもよい。
【００６７】
・一時停止マークＭa1，Ｍa2は、同一形状のマークに限定されず、互いに形状が異なっていてもよい。
【００６８】
・マークＭa1，Ｍa2，Ｍｂ，Ｍｃは、ベタ印刷に限定されない。例えば、細い線が複数羅列された印刷物や、ドットの組合せからなる印刷物等でもよい。また、マークＭa1，Ｍa2，Ｍｂ，Ｍｃは、印刷により形成されることに限らず、色の付いた部材が接着剤等によりシート材に固定されたものでもよいし、切り欠きや穿孔によって形成されていてもよい。
【００６９】
・マスク時間の設定は、タイマを使用する方式に限定されず、例えば、パルス数をカウントするカウンタなど、他の方式を適宜採用可能である。
【００７０】
・表示幕５の巻き取り駆動源は、１つのモータとしてもよい。この場合、ギヤ等による回動軸の駆動方向の切換により、巻き取りの方向が切り換えられる。
【００７１】
・検出部は、無接点センサの場合、光学センサに限定されず、例えば磁気センサ等の他のセンサに変更可能である。また、検出部は、無接点式に限定されず、有接点式（マイクロスイッチ等）でもよい。
【００７２】
・表示物６は、単位表示幕1２に１つ設けられることに限定されず、複数形成されてもよい。また、表示物６が複数の単位表示幕１２に跨る態様であってもよい。
【００７３】
・マークＭa1，Ｍa2，Ｍｂ，Ｍｃ及びマーク検出センサ２２の各位置は、適宜変更可能である。表示幕５の下部に設けられているものに限られるものではなく、例えば表示幕５の上部や中央部に設けられていてもよいし、端面に設けられていてもよい。
【００７４】
・幕式表示装置１は、表示物６が片側のみ表れる片面式でもよい。また、幕式表示装置１は、表示幕５が装置縦方向（図１のＺ軸方向）に巻き取られる縦方向巻き取り式としてもよい。
【００７５】
・幕終了マークＭｃは、省略することも可能である。
【００７６】
次に、上記実施形態及び別例から把握できる技術的思想について以下に追記する。
（イ）請求項１〜３のいずれかにおいて、前記制御部は、電源起動時、前記表示幕を常に同じ方向に巻き取る動作をとり、前記表示物の端部に設けられた幕終了マークを検出すると、前記表示幕を一時停止させず直ぐに逆方向に折り返すこと。
【００７７】
（ロ）請求項１〜３，前記技術的思想（イ）のいずれかにおいて、前記検出部は、無接点センサであること。
【符号の説明】
【００７８】
１…幕式表示装置、５…表示幕、６…表示物、１３…繋ぎ目、１５…制御部としてのコントローラ、２２…検出部としてのマーク検出センサ、Ｍa1…順方向巻き取り一時停止マーク、Ｍa2…逆方向巻き取り一時停止マーク、Ｍｂ…折り返しマーク。
【図１】
2013200437.tif 000003
【図２】
2013200437.tif 000004
【図３】
2013200437.tif 000005
【図４】
2013200437.tif 000006
【図５】
2013200437.tif 000007
【図６】
2013200437.tif 000008
【図７】
2013200437.tif 000009
【図８】
2013200437.tif 000010